(57)【要約】      （修正有）【課題】風の流れをセンサーで感知して風車の姿生を制御するという今迄の方法は姿生制御のため風車を動かすので、大きくるのに限界があった。【解決手段】一定方向に吹く風を作り、固定した二重容器にいれて回転可能にした風車を設け、上部の吹き入れ口から下部の吹き出し口にをりてこられるような構造にした。出て来た風を吹い取り器で自然の風のエネルギーを利用して大気中に吸引放出できるようにして効率を上げた風車の下に同期発電機の界磁軸とカップリングして発電させ、電気ボイラー、給水矛熱器、過熱器の電源として熱エネルギーに変換、蒸気タービンを回わして発電タービンをまわして５０Ｈｚ、６０Ｈｚの電気を発生させる。【選択図】なし【特許請求の範囲】
【発明の詳細な説明】
火力発電用風力モーター
【技術分野】
【発明の開示】
【０００１】  風車の向きを制御するのでなく、吹いてくる風の流れ、風量を制御して、固定した風車に風を吹きつけて風のエネルギを取り出し、風のエネルギーで吹きつけられた風を吸い出し器で大気中に放出することを目的とする
【０００２】発明が解決しようとする手段  ▲１▼
風車は、半径１６０ｍ高さ２５ｍの円筒に逆Ｌ字型に幅５ｍの羽根を、せり出して取付け１６ヶ所から平面型用風量制御フック付全方向吹き入れ１方向吹き出し器から出てきた風を１８枚〜３６枚の逆Ｌ字型羽根に吹きつけ、風車の回転エネルギとし、発電機の界磁を回転させ、電気子側に電気を誘導させることを目的としている。発電させた電気は、電気ボイラーで熱エネルギーに変換するので、風車自体を連結しなければ、エネルギーの増大を、はかれないということはなくなった。
【０００３】（発明が解決しようとする手段）  ▲２▼
風路には突起部を取りつけ、風の吹き入れヶ所を２倍又は３倍にして平面型風量制御フック付き全方向吹き入れ一方向吹き出し器の間隔を広くして風車カバーの上の風通しをよくしました。
（図１−ａ）（図１−ｂ）（図４−１）（図４−２）ページ３、４、１１、１２
【０００４】（発明が解決しようとする手段）  ▲３▼
風車筒の横の下部分出口側風路ごとにしきりを取りつけました、即１風路１條になるようにして、吸い出し量を制御できるようにしました。
（図７−１）（図８−１）（図８−２）（図８−３）（図８−４）
【０００５】（発明が解決しようとする手段）  ▲４▼
吸い出し器は風車と並べて交互に突出させ、チンバーの数は各系統の吸い取り器に２つづとし、２通路は吸い取り器に直接吸い取らせるようにしました。全部で４系統１６条式になりました。（図７）（図７−１）（図８−１）（図８−２）（図８−３）（図８−４）
【０００６】（発明が解決しようとする手段）  ▲５▼
風車は半経１６０ｍの円筒で外周１００４．８ｍになるので、５０Ｈｚ、６０Ｈｚが出しにくいので、電気ボイラーの電源にして、蒸気を発生させタービンをまわす時に、５０Ｈｚ、６０Ｈｚの電気を取り出すことにしました。
（図９）（図１０）ページ、２９、３０
【０００７】発明が解決するための手段  ▲６▼
風車の周囲から風車に向けて、風量制御フック着き全方向吹き入れ、１方向吹き出し器を通して風を吹きつけ、４系統１６條の吸い取り器で、吸い出し、大気中に放出する
（図２−１）（図２−２）（図１−ａ）（図１−ｂ）、ページ２、３、６、７
【０００８】発明が解決するための手段  ▲７▼
風は風車に向けて正面から吹きつける風、逆方向から吹いてくる風もｕターンさせて利用することにしました。右からの風、左からの風は、そのどちらかの風路に吹きこまれるように、なって、います、それが風量制御フックつき全方向吹き入れ器であります（図４−１）（図４−２）ページ１０、１１．
【０００９】発明が解決するための手段  ▲８▼
平面型は、風車が大いので、風量制御フック着き全方向吹き入れ１方向吹き出し器を上げたり左右にづらせたりできません。
その為ｕターンの風を利用するためには高さを高くして、風車の上から吹き入れた、風を羽の位置まで誘導するようにしています。
縦：横：高さ＝３０：３０：４５がそれです。
（図４−１）（図４−２）（図６１Ｘ）（６１Ｙ）（６２Ｘ）（６２Ｙ）ページ１８、１０、１１、５、６、１、２、３、４．
【００１０】発明が解決するための手段  ▲９▼
風車の羽根は逆Ｌ字形にして、吹き入れた風が吹出し口に出るまでに、さがってくるようにしています
（図３−２）（図４−２）ページ９、１１
【００１１】図面の説明
１〜６  風量制御フック付全方向吹き入れ１方向
吹き出し器の平面図１階部１、３、２階部が２、４。
２階部は風の誘導と、停止時の風のバイパス
停止用ドアーは東西南北に入口に取り着けた、２階部が高いので、出口に着けると、風圧で２階部が吹きとんでしまう可能性があるためです。
【００１２】  ７〜１７  風車と風量制御つき全方向吹き入れ１方向吹き出し器（１、型、２型）の位置数、間隔、１型、２型、を作り１型は、右から風車に正面風左がｕターンの風、２型は風車に吹き入れる風が左側、ｕターンの風が右側の場ときめました。
【００１３】  風量制御フックつき全方向吹き入れ１方吹き出し器から風車に吹き入れ風車から吸い取り器に出ていく図（図３−１）（図３−２）
【００１４】  風車と風量制御フック着き全方向吹き入れ、１方向
吹き出し器の位置と流れ（図２）（図２−１）（図２−２）ページ６、７、８
【００１５】  風量制御フック付き全方向吹き入れ１方向吹き出し器内の風の流れ
６１Ｘ、６１Ｙ、６２Ｘ、６２Ｘページ１８、１９、２０、２１
【００１６】４系統１６条式吸い取り器と、風車の平面図  １２．交互につき出したり、ひっこめて風を吸いとりやすくするようにしました。
【００１７】４條式吸い取り器  １９、２０、２１、２２．
【００１８】図４−１−１、Ｉ型１階部平面図１、図４−１−２  Ｉ型２階部平面図、２
図４−２−１  ＩＩ型１階部４平面図３  図４−２−２  ＩＩ型２階部平面図、４
【非特許文献１】
【０００１７】電気ボイラー電源用風力発電であるため周波数は、電気ボイラーで発生した、蒸気でタービンを回転させ発電気を運転して、３相２００Ｖ、５０Ｈｚ又は６０Ｈｚを出させる、変圧器で昇圧して、長距離送電して、多くの儒要家に送電する。（図９）（図１０）ページ、２９、３０
【非特許文献２】
【０００１８】三相２００Ｖ、５０Ｈｚ、６０Ｈｚ、を、三相６０００Ｖ、５０Ｈｚ、６０Ｈｚ  三相１０００００Ｖ、５０Ｈｚ、６０Ｈｚ、三相１８０万Ｖ、５０Ｈｚ、６０Ｈｚ、と超高圧にして電流値を少なくし送電損失を少くなくして、都界の儒要家近くの、第１次変電所、〜第２次変電所で低圧大電流にして、住宅、商店、工場の儒要家にとどけて完結します。（図１０）ページ３０
【００１９】
2010144712.tif 000002
【図１】
2010144712.tif 000003
2010144712.tif 000004
2010144712.tif 000005
2010144712.tif 000006
【図２】
2010144712.tif 000007
2010144712.tif 000008
2010144712.tif 000009
2010144712.tif 000010
2010144712.tif 000011
2010144712.tif 000012
2010144712.tif 000013
2010144712.tif 000014
2010144712.tif 000015
2010144712.tif 000016
2010144712.tif 000017
2010144712.tif 000018
2010144712.tif 000019
2010144712.tif 000020
2010144712.tif 000021
2010144712.tif 000022
2010144712.tif 000023
【図７】
2010144712.tif 000024
2010144712.tif 000025
2010144712.tif 000026
2010144712.tif 000027
2010144712.tif 000028
2010144712.tif 000029
2010144712.tif 000030
【図９】
2010144712.tif 000031
【図１０】
2010144712.tif 000032
【手続補正書】
【提出日】平成21年6月23日(2009.6.23)
【手続補正２】
【補正対象書類名】特許請求の範囲
【補正対象項目名】全文
【補正方法】追加
【補正の内容】
【特許請求の範囲】
【請求項１】
平面型風車用風量制御フック付全方向吹き入れ１方向吹き出し器Ｉ型、風車軸に向って正面の風が右側Ｕターンの風が左側のもの底面は正方形で高さが長くなっている（図８）（図１２）照照
【請求項２】
平面型風車用風量制御フック付全方向吹き入れ１方向吹き出し器ＩＩ型風車軸に向って正面の風が左側、Ｕターンの風が右側のもの底面は正方形で高さが長くなっている．（図１０）（図１３）参照
【請求項３】
平面型風車の円筒型容器は二重の容器になっている容器の強さを強くすること、風が風車の羽根に当る角度をを調整して、有効な角度で当てられるようにすることです、容器上部に１６ヶ所の吹き入れ口を作り中側の容器にも１６ヶ所の吹き入れ口を作る．下側にも１６ヶ所づつの出口をつけて、上下とも風車に有効に風が入り、出ていけるようにする、の間を充てん部を設け、容器を補強する．
表面に平面型用風量制御用フック付全方向吹き入れ１方向吹き出し器を１６ヶ所に取りつけて、風車内に吹き込ませる、容器の中心に上、下、ともベアリングを容器につけて、風車が回転可能にする．（図１２）（図１３）（図１５）
【請求項４】
2010144712.tif 000033
していくうちに、風が下部の出口に、おりてこられるようにし、出口の断面積は入口の断面積より広くして、吸い取り器に吸い出しやすくする．（図１５）（図１６）
【請求項５】
１系統４條式吸い取り器４本を作る．入口と出口の断面積を広くし中間をせまくして風の通る早さを早くして途中で羽根から出て来た風を自然の風のエネルギーを利用して吸引放出する、下側にバイパス回路を設け、風量制御用ゲートを取りつけ、吸い取り量を制御可能にする．
【請求項６】
吸い取り器は、風車を中心にして引込めたり、つき出したりして、風車の回転方向に吸い取らせる、風車の下に回転界磁型発電機を置き風車軸とをカップリングして発電させる（図６）（図７）
平面型風車用風量制御フック付全方向吹き入れ１方向吹き出し器Ｉ型、ＩＩ型で風の吹く方向風量を制御して、人工の風にして固定した二重の容器に入れた風車に風を１６ヶ所から吹き込ませる
2010144712.tif 000034
回転しているうちに容器上部の吹き入れ口から下部の吹き出し口に降りてくるような構造にする．出口の断面積は入口断面積より広くして出ていきやすくする、吸い取り器にバイパスを設け、吸い取り量を制御可能にした吸い取り器で自然の風のエネルギーを利用して大気中に吸引放出して風車の回転効率を上げる
【手続補正３】
【補正対象書類名】明細書
【補正対象項目名】全文
【補正方法】変更
【補正の内容】
【発明の詳細な説明】
【技術分野】
【０００１】風のエネルギーを可能な限り取り込んで機械エネルギーに変換できる風車を作る．
その風車で風のエネルギーを機械エネルギーとして取り出す、その機械エネルギーを立て型の同期発電機を用いて電気エネルギーに変換する、この電気エネルギーは風車が大きくて電気エネルギーの質として完全なものでないため電気ボイラー、給水予熱器、過熱器の電源にして、熱エネルギーに変換、蒸気タービンを回転させ、上質の電気エネルギーに再変換して、変圧器で超高圧にして長距離送電をする。儒要地で順次降圧、電流容量を増加して、儒要に供給する。
【背景技術】
【０００２】今迄の風力発電は、センサーで風の向きを感知して、風の吹く方向に風車を制御していた、そのためセンサー及び風車の制御機構が必要であった．
その為大型にするのには、限界にきていた、従って受風面積も大きくできなかっため、単機の出力も限界にきていた、風車どうしが車結できない、後から吹く風を前から吹く風と同時に利用出来ないから出力を充分にあげられない。
熱エネルギーとして取り出すには、小さすぎる．
半導体を用いて加工するには超高圧にできない．
従って長距離送電は不可能であった。
【先行技術文献】
【特許文献】
2010144712.tif 000035
【非特許文献】
【０００２】
【非特許文献】（１）電気ボイラーに関連する文献  （２）蒸気タービンに関連する文献  （３）同期発電気に関連する文献  （４）変圧器に関連する文献  （５）吸収式冷凍機に関連する文献
【発明の開示】
【発明が解決しょうとする課題】
【０００３】（１）一定方向一定風量の風を作る
（２）風車を二重容器に入れ固定し、中で回転可能にする．
（３）風車容器上部の吹き入れ口から、風を吹き込むと、風車が回転しているうちに下部の吹き出し口に風がおりてこられるようにする．
（４）風車の受風面積を大きくする．
（５）風車に吹きつけて、エネルギーの減少した風を大気中に放出できるようにする．
（６）風車から得た機械エネルギーを電気エネルギーに変換する．（７）風車心棒を太くし、力のモーメントを大きくし、出力を大きくする
（８）、（６）の電気エネルギーを熱エネルギーに変換したあとで、電気エネルギーに再変換して、電力の質の向上をする．
（８）昇圧して、長距離送電して儒要地で配電する．
【発明の開示】
【発明が解決しようとする手段１】
【０００４】二重にした風車容器を風通しのよい高所に固定する、その二重容器の中に大型の風車を入れて、容器の上、下、の中心にベアリングをつけ、回転可能にする．（図３）
容器上部に１６ヶ所、中の容器上部にも１６ヶ所の風の吹き入口を作り、吹き入れた風が中の羽根に効果的に吹きつけられるようにする．（図１）
風車容器の下側は１６ヶ所の出口が、中の容器、外の容器、ともつけられ上の風路の断面積より下の風路の断面積の方を広くする（図４）
この出口はそれぞれ４系統１６条式の吸い取り器につなげる、（図６）
2010144712.tif 000036
に上の吹き入れ口から下の出口に降りてくるようになっている。（図２）
【発明の課題を解決するための手段２】
風量制御フック付器全方向吹きつけ１方向吹き出し器を作り、風向風量を一定範囲の風にする．（図８）（図１０）
風の入口の受風面積を広くして、一方向吹き出し口の風を弱くも少なくもさせない．（図１４）（図１５）
反対側から吹く風は、Ｕターンさせて、羽根に吹きつける、右の風、左の風は、Ｕターンの風路、正面の風路のどちらかに入れ利用する、出口前で風量制御用フックをつけ誘導層に、にがせます（図８）（図１０）
（００２６）
平面型風車は風車自体が大きいので風量制御フック付全方向吹き入れ、１方向吹き出し器を上げたり左右にずらせたりできません、そのためＵターンの風を利用するためには、高さを高くして、吹き入れた風は風車の羽根の位置迄誘導するようにして吹きつけます．（図１２）（図１３）
【発明の概要】
【発明を解決しょうとする手段３】
風量制御フックつき全方向吹き入れ１方向吹き出し器を作り１定方向１定風量の人工の風を作る（図８）（図１０）
入口の受風面積を広くしてあるから吹き出し出口まで弱くも、少なくもならないようになる．（図１４）（図１５）
風車を大型化するためには風車を高所に固定した二重の容器の中に入れ容器の上、下、にベアリングつけて風を吹きつけると回転可能な状態にする（図３）（図７）
2010144712.tif 000037
の羽根に吹きつけ、有効な角度で羽根から吸い出すための、風路になる．（図１）
風車軸を太くして、羽根に大きなトルクが働くようにするためです。（図１）
風車が等速でないことは誘導される電力が均質でない、ため、電気ボイラー、給水予熱器、過熱器の電源にして、熱エネルギーに変換、蒸気タービンを回して上質の電力に再変換する
変圧器で昇圧して都界の需要地に送電．（図２８）
【発明が解決しょうとする手段４】
平面型風車用風量制御フック付全方向吹き入れ１方向吹き出し器を作って、自然の風を一定方向一定風量の風にする、入口の受風面を広くしてあるので出口まで弱くも少なくもならない．（図８）（図１０）（図１２）（図１３）（図１４）（図１５）
風車、風車容器、吸いとり器、とも大型なので現場で製作設置することになる．
風車が大きく、表面積が広いので風車が完全に等速度になりにくい．その為、電気ボイラー、給水予熱器加熱器で、熱エネルギーに変換、蒸気タービンを回転させ、電気エネルギーに再変換して、電力の質の向上をはかる．〔図２７〕〔図２８〕
【発明の開示】
【発明の効果】
【０００５】（１）長距離送電ができるようになる
（２）化石燃料消費を少なくできる即ちＣＯ２欲制ができる（非常の場合は必要である体制にしてをく）
（３）電気料金を安価にできる．
（４）可動部分が露出しないので、鳥類に対する被害がなくなる．
給湯のサービスができるとともに、吸収式冷凍機の熱源にして、冷水の供給にも役立つ即ち、冷水、温水のサービスができる
【産業上の利用の可能性】
【０００６】（１）地域冷暖房の熱源に利用できる．
（２）温水プールの熱源に利用できる．
（３）工場で必要な電源に使える．
（４）老人ホームで必要な熱源を電気式に変えられる．
【発明を実施するための最良の形態】
【０００７】この風車は風の強い山頂又は風の強い海岸線であればどこでも、どんな組合せでもかまいましん単機の出力が大きくなっているからです、風車発電気から、良質な水、豊富な水がある所迄送電して、電気ボイラー給水予熱器過熱器迄送電し蒸気タービンで発電機をまわして、電気の質の向上をはかり変圧器で昇圧して都界の消費地に送電できるスペースさえあればよいのです．
【図面の簡単な説明】
【０００８】
【図１】風車の入った二重容器に１６ヶ所に平面型用風量制御フックつき全方向吹き入れ１方向吹き出し器Ｉ型、ＩＩ型を取り付けた全平面図  軸が太いので中心からの距離が長いため力のモーメントが大きいので回転力が大きく、出力が大きくなる．
【図２】
2010144712.tif 000038
【図３】風車の二重容器図  容器を強固にするとともに、風を中の風車の羽根に吹きつける角度を鋭角にするのがねらいである．（図１）参照
【図４】入口の吹き込む断面積に比べ出口の断面積を広くして、風が通りぬけやすくし．た．
【図５】風車底面の平面図、風が出ていきやすい方向にしてある．
【図６】風車から出た風が４本１６條の吸い取り器に吸い取られる、構造
【図７】風車機構の全体立面図の単線図
【図８】平面型用風量風量制御フック付き全方向吹き入れ１方向吹き出し器１型の１階の平面図．
【図９】平面型用風量制御フック付全方向吹き入れ１方向吹き出し器１型の２階の平面図．１階の風の誘導と、風量制御時と停止時の１階のバイパス．
【図１０】平面型用風量制御フック付全方向吹き入れ１方向吹き出し器２型、１階平面図、風車軸に正面の風、Ｕターンの風、共高い所から入った風を風車、羽根の位置迄誘導する、（図１２）、（図１３）、その風を羽根に鋭角に吹きつける．（図１）
【図１１】平面型用風量制御フック付全方向吹き入れ、１方向吹き出し器、２型２階、風量制御時、停止時の１階の風のバイパス風路．
【図１２】平面型用風量制御フック付全方向吹き入れ１方向吹き出し器断面図．
【図１３】平面型用風量制御用フック付全方向吹き入れ１方向吹き出し器２型断面図
【図１４】平面型用風量制御フック付全方向吹き入れ１方向吹き出し器１型の風の吹き入れ口の表面積（南側東側、が点線で囲れた部分）（北側、西側は実線で囲まれた部）出口は、図中の長方形部分、（Ｕターンの風は南口、東口からの風）正面の風は北口、西口からの風
【図１５】平面型用風量制御フック付、全方向吹き入れ、１方向吹き出し器２型の風の吹き入れ口の表面積（北側西側が点線で囲まれた部分）（南側、東側が実線で囲れた部分）出口は図中長方形部分（正面の風は南口、東口からの風）（Ｕターンの風は北口、西口からの風）
【図１６】平面型用風量制御フック付全方向吹き入れ１方向吹き出し器１型内のＸ方向（風車外部方向から内部に向け）吹く風の風の進路
【図１７】平面型用風量制御フック付  全方向吹き入れ１方向吹き出し器１型のＹ方向（風車の屋根を越え、内部に入ってＵターンをする）風の進路
【図１８】平面型用風量制御フック付全方向吹き入れ１方向吹き出し器２型Ｘ方向の風（風車外部から内部に向けて吹く風）の風車の羽根に向けて吹く風の進行方向
【図１９】平面型用風量制御フック付全方向吹き入れ１方向吹き出し器２型Ｙ方向の風（風車の屋根を越え吹入れてＵターンをする風）の進路方向
【図２０】吸い取り器入口側からみた全体図
【図２１】吸い取り器、風量制御用ゲートが１／４開いた図
【図２２】吸い取り器、風量制御用ゲートが３／４開いた図
【図２３】吸い取り器、吸い取り口（１）の図
【図２４】吸い取り器、吸い取り口（２）の図
【図２５】吸い取り器  吸い取り口（３）の図
【図２６】吸い取り器、吸い取り口（４）の図
【図２７】風車発電機から送電さた、配線図、給水加熱器、ボイラー過熱器迄、点線が蒸気の流れ、実線が給水の流れ．
【図２８】電気ボイラーで蒸気タービンを回転させ、発電気を運転して、発電し、変電所で超高圧にして、送電する図タービンをまわした蒸気は復水器で冷却水で真空度を高めタービンの回転高率をあげるとともに復水を再じんからさせて使用する．
【符号の説明】
【０００９】
2010144712.tif 000039
【手続補正５】
【補正対象書類名】図面
【補正対象項目名】全図
【補正方法】変更
【補正の内容】
【図１】
2010144712.tif 000040
【図２】
2010144712.tif 000041
【図３】
2010144712.tif 000042
【図４】
2010144712.tif 000043
【図５】
2010144712.tif 000044
【図６】
2010144712.tif 000045
【図７】
2010144712.tif 000046
【図８】
2010144712.tif 000047
【図９】
2010144712.tif 000048
【図１０】
2010144712.tif 000049
【図１１】
2010144712.tif 000050
【図１２】
2010144712.tif 000051
【図１３】
2010144712.tif 000052
【図１４】
2010144712.tif 000053
【図１５】
2010144712.tif 000054
【図１６】
2010144712.tif 000055
【図１７】
2010144712.tif 000056
【図１８】
2010144712.tif 000057
【図１９】
2010144712.tif 000058
【図２０】
2010144712.tif 000059
【図２１】
2010144712.tif 000060
【図２２】
2010144712.tif 000061
【図２３】
2010144712.tif 000062
【図２４】
2010144712.tif 000063
【図２５】
2010144712.tif 000064
【図２６】
2010144712.tif 000065
【図２７】
2010144712.tif 000066
【図２８】
2010144712.tif 000067